(57)【特許請求の範囲】
【請求項１】
同一被検者の血液を定期的に測定して得られる網血小板のデータを受入れ、ある対象データが他のデータ群に対して特異変動したか否かを判定する解析部と、
受入れた網血小板のデータ群に関する推移情報を表示するための表示部とを備え、
解析部が、対象データが他のデータ群に対して特異変動したと判定した場合に特異変動情報を表示部に表示することを特徴とする血液分析装置。
【請求項２】
解析部は、対象データと統計的手法によって得られた閾値データとの比較に基いてその対象データが他のデータ群に対して特異変動したことを検知することを特徴とする請求項１記載の血液分析装置。
【請求項３】
閾値データは、対象データ近傍の他のデータ群の平均値と標準偏差を用いて得られるものであることを特徴とする請求項２記載の血液分析装置。
【請求項４】
血液を分析し網血小板のデータを得る測定部をさらに備えることを特徴とする請求項１〜３のいずれか１項に記載の血液分析装置。
【請求項５】
血液試料が導入され個々の血球に対応して血球の特徴を反映した信号を発生する検出部と、検出部にて検出された信号を信号処理する信号処理部と、得られた信号に基づき網血小板のデータを算出する解析部と、解析結果等を表示する表示部とを備え、
解析部は、測定により得られる網血小板のデータ群を被検者ごとに分けてファイリングするグループファイリング手段と、各ファイルごとにそのファイル内のある対象データが他のデータ群に対して特異変動したか否かを判定する判定手段とを備え、
表示部は、各ファイルごとに網血小板のデータ群の推移情報を表示し、解析部が、所定のファイル内の対象データが他のデータ群に対して特異変動したと判定した場合に特異変動情報を表示部に表示することを特徴とする血液分析装置。
【発明の詳細な説明】
【０００１】
【発明の属する技術分野】
本発明は、定期的に測定された網血小板に関するデータから臨床上有益な情報を提供することができる血液分析装置に関する。
【０００２】
【従来の技術】
網血小板は幼若な血小板であり、再生不良性貧血や急性骨髄性白血病などでその数が減少することが知られている。また、例えば、ガン治療で使用される化学療法や骨髄移植の後の骨髄回復を知るためのマーカとして有用ではないかともいわれている。化学療法において極度に血小板が減少した時には血小板製剤の輸血が必要となるが、輸血後ＧＶＨＤ（移植片対宿主病）の危険性及びコストの面から不必要な輸血は避けるべきであると考えられている。
【０００３】
一方、ＩＴＰ（血小板減少症性紫斑病）などにおいては、治療としてステロイド剤や免疫グロブリンなどが投与されるが、ステロイド剤はリバウンド、免疫グロブリンは薬価が高いなどの問題があり、こちらも必要最小限の投与が望まれている。
【０００４】
もし、血小板の回復を事前に予知することができれば、不要な輸血や投与を避けることができる。
「Ｂｌｏｏｄ，Ｖｏｌ８８，Ｎｏ９（Ｎｏｖ．１），１９９６：ｐｐ３２８８−３２９８」には、網血小板比率と血小板数との関連性についての記載があり、ヒトにＰＥＧ−ｒＨｕＭＧＤＦ（Ｐｅｇｙｌａｔｅｄ  ＲｅｃｏｍｂｉｎａｎｔＨｕｍａｎ  Ｍｅｇａｋａｒｙｏｃｙｔｅ  Ｇｒｏｗｔｈ  ａｎｄ  Ｄｅｖｅｌｏｐｍｅｎｔ  Ｆａｃｔｏｒ）を投与すると、血小板数が増加する５から８日前に網血小板数に変化が起こったことが記載されている。
【０００５】
【発明が解決しようとする課題】
上記論文のＦｉｇ．７には網血小板比率と血小板数との関連性がグラフ表示されている。このグラフ全体を眺めれば、血小板が回復に転じたことを知ることができるかもしれない。しかし、データ順次獲得の途中でいち早くその時点を知ることはできない。
本発明の課題は、定期的に測定されたデータに基づき、血小板が回復の方向に転化した場合にそのことをいち早く検知することができるような血液分析装置を提供することである。
【０００６】
【課題を解決するための手段】
本発明の血液分析装置は、同一被検者の血液を定期的に測定して得られる網血小板のデータを受入れ、ある対象データが他のデータ群に対して特異変動したか否かを判定する解析部と、受入れた網血小板のデータ群に関する推移情報を表示するための表示部とを備え、解析部が、対象データが他のデータ群に対して特異変動したと判定した場合に特異変動情報を表示部に表示するよう構成されている。
【０００７】
よって、もし最新データが過去のデータ群に対して特異的に上昇（変動）していれば、その後のデータを待つことなく最新データを得た時点でいち早く、そして正しくその最新データが特異上昇（特異変動）したことを知ることができるのである。併せて今までの網血小板のデータの推移状況も知ることができる。
【０００８】
【発明の実施の形態】
本発明の血液分析装置の解析部における機能は、ハードウェアであるいはソフトウェアであるいはその両方で構成されていてよい。また、表示部としてはＣＲＴやＬＣＤなどのディスプレイ装置を使用することが好ましいが、プリンターなどの印刷装置であってもよい。
【０００９】
本発明の血液分析装置は、利便性の観点から血液を分析し網血小板のデータを得る測定部をさらに備えていていてよい。そして、その測定部は上記解析部と分離的に設けられていてもよく、両者が一体的に設けられていてもよい。測定部としては、塗抹標本からの画像を解析するものやフローサイトメトリーによるものなどが使用できるが、精度、高速性の点で後者の方が好ましい。
また、網血小板のデータの解析部への入力は自動、手動を問わないが、利便性の観点から測定手段での測定から解析手段へのデータ入力まで自動でなされることが好ましい。
【００１０】
また、本発明の血液分析装置は、血液試料が導入され個々の血球に対応して血球の特徴を反映した信号を発生する検出部と、検出部にて検出された信号を信号処理する信号処理部と、得られた信号に基づき網血小板のデータを算出する解析部と、解析結果等を表示する表示部とを備え、解析部は、測定により得られる網血小板のデータ群を被検者ごとに分けてファイリングするグループファイリング手段と、各ファイルごとにそのファイル内のある対象データが他のデータ群に対して特異変動したか否かを判定する判定手段とを備え、表示部は、各ファイルごとに網血小板のデータ群の推移情報と特異変動情報とを表示するものであることが好ましい。
【００１１】
この場合、特異変動判定を行いたいものについて、データ群を被検者ごとに分けてファイリングできるので、複数の被検者について特異変動の判定が可能となり、さらに操作性や利便性の点で優れる。
【００１２】
特異変動の判定手法としては各種手法が利用可能であるが、被験者の状態（治療の種類や症状の重軽など）により測定値の現れ方が異なりうること、測定値が誤差を持つことなどから、絶対的な比較ではなく相対的な比較が好ましく、特に統計的手法によって得られた閾値データと比較することが好ましい。
具体的には、データ群から選ばれたデータ群について統計的パラメータを算出し、その統計的パラメータを用いて閾値データを生成する。統計的パラメータとはデータ群の分布状態（平均値やばらつき具合など）を表わすものであって、平均値や標準偏差である。統計的パラメータを算出するためのデータ群としては対象データ近傍の（時間的に近い）データ群であることが好ましい。
【００１３】
例えば、Ｒ（ｉ）；ｉ＝１，２，・・・，ｎなる時系列の網血小板のデータ群があるとする（ｉが大きいほど新しいデータ）。対象データをデータＲ（ｎ）とした場合に、その対象データＲ（ｎ）近傍の複数のデータ群Ｒ（ｎ−１），Ｒ（ｎ−２），・・・，Ｒ（ｎ−ｋ）から算出される閾値データＴ（ｎ−１）と対象データＲ（ｎ）とを比較することにより、その対象データＲ（ｎ）が他のデータ群Ｒ（ｎ−１），Ｒ（ｎ−２），・・・，Ｒ（１）に対して特異変動したか否かを好適に判定することができる。
【００１４】
さらに、上記閾値データＴ（ｎ−１）を上記選択されたｋ個のデータ群Ｒ（ｎ−１），Ｒ（ｎ−２），・・・，Ｒ（ｎ−ｋ）の平均値Ｍ（ｎ−１）及び標準偏差Ｓ（ｎ−１）を用いてＭ（ｎ−１）＋ｃ×Ｓ（ｎ−１）とすることができる。ｋは３以上である。定数ｃは検知感度を調節する係数であり、ｃが小さいほど特異変動は検出しやすくなるが誤検出も多くなる。ｃが大きいほど誤検出はなくなるが特異変動も検出しにくくなる。そこで、ｃの値としてはユーザ設定可能にしておき経験的に最適値を選べるようにしておくことが好ましい。使用可能範囲としては１≦ｃ≦４であり、好適には２から４である。今仮に、複数のデータ群Ｒ（ｎ−１），Ｒ（ｎ−２），・・・，Ｒ（ｎ−ｋ）が正規分布しているとした場合、ｃ＝１．０，１．５，２．０，３．０，４．０のとき上記複数のデータ群のうち閾値データＴ（ｎ−１）を超えるデータの割合はそれぞれ１５．９％，６．７％，２．３％，０．１％，０．０％である。
【００１５】
ところで、網血小板のデータとは網血小板に関連するデータという意味である。血小板数の回復予知を行う場合には、網血小板数の血小板数に対する比で表わされる網血小板比率を使用することが好ましい。そして、それが高精度で得られたデータであればあるほど、データの特異変動をより正確に高精度に検出することができるので好ましい。高精度の網血小板比率データを得るためには血小板数又は／及び網血小板数が高精度に測定される必要がある。
【００１６】
【実施例】
図１は、本発明の血液分析装置の第１実施例１０のブロック図である。ここで血液分析装置１０は解析部及び表示部に測定部を付加したものとして構成されている。
測定部１２においては、被験者から採取された血液試料１４を吸引パイプ１６によって測定部１２内に導入し、流体部１８で希釈、染色などの前処理を行い、検出部２０で個々の血球を光学的に測定し、得られた信号を信号処理部２２で処理し血球の特徴を反映した特徴パラメータを得、その特徴パラメータをデータ処理部２４で解析することにより血小板数、網血小板数、網血小板比率についての測定値を得ている。
【００１７】
検出部２０は、蛍光染色された血球を含む試料液をシース液で囲んでフローセルに流すことによって試料液細流を形成し、その試料液細流にレーザ光を照射し、そのレーザ光照射領域を通過する個々の血球から発せられる前方方向の散乱光と蛍光をダイクロイックミラーで選別しそれぞれフォトダイオード（前方散乱光）、フォトマルチプライヤ（前方蛍光）で受光する構成をとっている。
血小板や網血小板を測定対象とする場合には、血小板と網血小板とを他の粒子群から光学的に識別可能なように蛍光染色を行えばよい。具体的にはオーラミンＯ、アクリジンオレンジ、プロピディウムアイオダイド、エチジウムブロマイド、ヘキスト３３３４２、ピロニンＹ、ローダミンなどが使用できる。ここでは染料としてオーラミンＯを使用し、光源としてアルゴンレーザを使用した。
【００１８】
フォトダイオード、フォトマルチプライヤでそれぞれ受光された散乱光、蛍光は信号処理部２２で増幅やノイズ除去などの各種信号処理がなされ、各信号のピーク値がピークホールドされＡ／Ｄ変換される。
Ａ／Ｄ変換された信号はデータ解析部２４に蓄積され解析される。
【００１９】
図２はデータ処理部２４で生成された、前方散乱光強度Ｆｓｃと蛍光強度Ｆｌをパラメータとする２パラメータ分布図（スキャッタグラム）である。前方散乱光強度Ｆｓｃ（縦軸）は粒子サイズを反映したパラメータであり、蛍光強度Ｆｌ（横軸）は粒子含有ＲＮＡ量を反映したものである。
領域ＲＢは赤血球（成熟赤血球）、ＲＥは網赤血球（未成熟赤血球）、ＰＬは血小板（成熟血小板）、ＲＰは網血小板（未成熟血小板）がそれぞれ分布する領域である。そして、ＦＲは分裂赤血球などの非血小板粒子が分布する領域であり、ＯＴは分裂白血球などのその他粒子が分布する領域である。
【００２０】
この分布図において、血小板の分布領域の近傍で蛍光強度Ｆｌが小の側の領域ＦＲに分裂赤血球が分布することがあること、網血小板の分布領域に隣接して蛍光強度Ｆｌが大の側の領域ＯＴに分裂白血球が分布することがあることが新しく判明した。これらは、特開平８−１７８８２６号公報に示す装置で各領域の粒子を撮影した画像によって確認された。なお、これら分裂赤血球や分裂白血球は健常人では出現しないものである。
【００２１】
上記分布をクラス分けすることにより血小板数、網血小板数のデータが得られ、これらデータから網血小板比率のデータが得られるが、分裂赤血球などの非血小板粒子を排除することができれば異常検体であってもより正しく血小板数を得ることができる。また、分裂白血球などのその他の粒子を排除することができれば異常検体であってもより正しく網血小板数を得ることができる。いずれもより正しい網血小板数を得ることに貢献する。
【００２２】
２パラメータの分布データを生成してから網血小板比率のデータを得るまでの処理を図２を参照しながら説明する。
〔１〕．赤血球と血小板とを分画する分画線Ｅの決定。
そのために、特開平１−３０８９６４号公報記載の方法を使用した。
〔２〕．血小板と分裂赤血球を分画する分画線Ｂの決定。
そのために、血小板集団の分布の重心とスッキャッタグラムの原点を結んだ直線Ａと平行であって、直線Ａの直角方向に投影した血小板の度数分布において平均値−標準偏差×３に相当する位置を通る直線を分画線Ｂとした。
〔３〕．血小板と網血小板を分画する分画線Ｄの決定。
そのために、直線Ａと平行であって、直線Ａの直角方向に投影した血小板の度数分布において平均値＋標準偏差×２に相当する位置を通る直線を分画線Ｄとした。
〔４〕．網血小板と分裂白血球を分画する分画線Ｃの決定。
そのために、蛍光強度Ｆｌが大の側に直線Ａと平行な直線を設定しそれを分画線Ｃとした。
〔５〕．血小板数および網血小板数の算出。
そのために、領域ＰＬ、領域ＲＰに属する粒子数を計数し、血小板数、網血小板数をそれぞれ算出した。
〔６〕．網血小板比率の算出。
そのために、網血小板数÷血小板数×１００％で算出した。
【００２３】
分画線Ｂを設定したときの方が設定しないときよりも高精度に血小板数を算出することができ、分画線Ｃを設定したときの方が設定しないときよりも高精度に網血小板数を算出することができる。このようにして常により高精度に網血小板比率を算出することができた。
【００２４】
同一被験者から定期的（経日的あるいは経時的）に血液を採取し測定部に供することにより、同一被験者の血小板数および網血小板比率に関するデータが時系列的に得られ、これら同一被検者の時系列データ群は、解析部２６の入力部３０に伝送され、ひとまず記憶部３２に記憶される。演算部３４は記憶部３２に記憶された網血小板比率のデータを使って網血小板比率データの特異上昇の有無を判定する。３１は解析部２６を操作するためのキーボードやマウスなどの操作部である。
【００２５】
演算部３４で行われる判定処理について説明する。
〔１〕．データ群の獲得。
記憶部３２から同一被検者について得られた血小板数及び網血小板比率の全データＲ（ｉ），Ｒ（ｉ）；ｉ＝１，２，・・・，ｎを取り出す。
〔２〕．閾値データＴ（ｎ−１）の算出。
複数個ｋ、ここでは３個、の網血小板比率のデータ群Ｒ（ｎ−１），Ｒ（ｎ−２），Ｒ（ｎ−３）の平均値Ｍ（ｎ−１）及び標準偏差Ｓ（ｎ−１）を算出し、Ｍ（ｎ−１）＋４×Ｓ（ｎ−１）を最新データＲ（ｎ）に対する閾値データＴ（ｎ−１）とする。
〔３〕．特異上昇の有無判定。
Ｒ（ｎ）−Ｔ（ｎ−１）、すなわちＲ（ｎ）−（Ｍ（ｎ−１）＋４×Ｓ（ｎ−１））を判定式Ｈ（ｎ）とし、この判定式Ｈ（ｎ）が負の値から正の値に転化したことをもって最新データＲ（ｎ）が他の過去のデータ群に対して特異的に上昇したと決定する。
〔４〕．結果の表示。
記憶部３２に記憶されている血小板数のデータ群Ｐ（ｉ）；ｉ＝１，２，・，ｎの推移情報（変化の具合）及び網血小板比率のデータ群Ｒ（ｉ）；ｉ＝１，２，・・・，ｎの推移情報、並びに検出された網血小板比率の特異上昇情報（特異上昇が発生した時点）を、表示部３８に送り表示する。なお、データ群の変化の具合はデータ群をグラフ化し推移をわかりやすく表示する。
【００２６】
図３、４、５は表示部３８での表示結果の例を示す。
図３はある患者の骨髄移植後の結果を示す。
横軸ＤＡＹは骨髄移植後の経過日数を表わしている。血小板数、網血小板比率のデータは毎日あるいは２日置いて継続的に測定して得られたものである。実線の折線グラフ−◆−は血小板数の変化を示し、破線の折線グラフ・▲黒四角▼・は網血小板比率の変化を示している。１５日経過時点上の太い破線は上記判定式Ｈ（ｎ）が正の値になったこと、すなわち網血小板比率データＲ（ｎ）が特異上昇したことを示している。すなわち、その数日後に血小板数が上昇開始するであろうことが１５日経過の時点で予測することができた。
【００２７】
図４は別の患者の化学療法後の結果を示す。２５日経過時点で網血小板比率データが特異上昇したことが検知できた。
【００２８】
図５はさらに別の患者の化学療法後の結果を示す。１５日経過時点で網血小板比率データが特異上昇したことが検知できた。
【００２９】
図３，４，５に示す例における特異上昇時点前後の各具体的な数値を図６にまとめて示す。
【００３０】
図７は、本発明の血液分析装置の第２実施４０のブロック図である。
この例では測定部、解析部及び表示部が一体的に構成されている。このため第１実施例における測定部１２のデータ解析部２４と解析部２６とが一体的に構成されて解析部４４を構成している（測定部１２のデータ解析部２４に解析部２６の特異変動検知の機能が付加されたと見てもよい）。
【００３１】
特異変動判定に必要なデータ群を得、記憶するところまでは前記の通りである。本実施例においては、測定データ群を被検者ごとに分けてファイルするグループファイリング機能が備えられている。４６はその機能を実行、操作するための入力手段であり、キーボードやマウス、あるいは表示部４８の表示画面４２上に表示されるタッチキーなどである。
【００３２】
図８は解析部４４要部のブロック図である。５０、５１はそれぞれデータバス４９に接続された中央処理ユニット、記憶ユニットである。５２は測定された全データが格納されている総ファイル、５４ａ，５４ｂ，５４ｃ，・・・は被検者ａ，ｂ，ｃ，・・・ごとの測定データが格納されている個別ファイルをそれぞれ表わしている。
【００３３】
グループファイリング及び各ファイルごとの特異変動判定処理の一例を説明する。
〔１〕．モード選択。
まず、入力手段４６により表示画面４２に現れたメニュー項目の中から「血小板モニター」の項目を選択する。このことで本機能が起動される。
〔２〕．個別ファイルの選択。
表示画面４２に個別ファイルの全てについてファイル情報（例えば被検者の検体番号や名前、記憶データ量など）とともに一覧表示させる。それを参考に入力手段４６により所定のファイルを選択する。
〔３〕．測定。
被検者の血液を装置に供し、血小板数、網血小板数及び網血小板比率のデータを得る。
〔４〕．測定データの可否選択。
得られた測定データをファイルしてよいかどうか選択する。もしよければ入力手段４６により「データとする」を入力することにより測定データは個別ファイルに格納され、特異変動判定がなされ、今までのデータの推移情報及び特異変動情報が表示画面に表示される。
測定エラーの発生などによりデータとしたくないときは「データとしない」を入力し再測定する。
【００３４】
ところで、特異変動の正確度を向上させたい場合には、対象データＲ（ｎ）が仮に特異変動したと判定されても特異変動とは決定せず、その次のデータＲ（ｎ＋１）も特異変動したと判定された場合に初めてこの最新データＲ（ｎ＋１）は特異変動したと決定するようにすることが好ましい。
【００３５】
【発明の効果】
本発明の血液分析装置は、同一被検者の血液を定期的に測定して得られる網血小板のデータを受入れ、ある対象データが他のデータ群に対して特異変動したか否かを判定する解析部と、受入れた網血小板のデータ群に関する推移情報を表示するための表示部とを備え、解析部が、対象データが他のデータ群に対して特異変動したと判定した場合に特異変動情報を表示部に表示するよう構成されているので、データの特異変動が発生した場合、いち早くそれを知ることができる。そして、この情報を診断や治療に有効利用することが可能となる。
【００３６】
データの特異変動を、統計的に行う場合には、被験者の状態（治療の種類や症状の重軽など）により測定値の現れ方が異なっていてもより正しく検知することができる。
【００３７】
被検者の血液を分析し網血小板に関するデータを得るための測定手段が備えられて上記検知を行う場合には、操作する上で便利である。
【００３８】
解析部に、測定により得られる網血小板のデータ群を被検者ごとに分けてファイリングするグループファイリング手段と、各ファイルごとにそのファイル内のある対象データが他のデータ群に対して特異変動したか否かを判定する判定手段とを備える場合には、データ群を被検者ごとに分けてファイリングできるので、複数の被検者について特異変動の判定が可能となり、さらに操作性、利便性が向上する。
【図面の簡単な説明】
【図１】この発明の装置における第１実施例のブロック図である。
【図２】本発明の装置において得られた分布図の一例である。
【図３】本発明の装置によって得られた第１の結果の表示例である。
【図４】本発明の装置によって得られた第２の結果の表示例である。
【図５】本発明の装置によって得られた第３の結果の表示例である。
【図６】上記第１、第２、第３の結果に関する具体的数値の一部である。
【図７】本発明の装置における第２実施例のブロック図である。
【図８】本発明の装置における解析部要部のブロック図である。
【符号の説明】
１０，４０    血液分析装置
１２    測定部
１４    血液試料
２６，４４    解析部
３８，４８    表示部
５０    中央処理ユニット
５１    記憶ユニット
５２，５４ａ，５４ｂ，５４ｃ    ファイル
【図１】
0004017249.tif 000002
【図２】
0004017249.tif 000003
【図３】
0004017249.tif 000004
【図４】
0004017249.tif 000005
【図５】
0004017249.tif 000006
【図６】
0004017249.tif 000007
【図７】
0004017249.tif 000008
【図８】
0004017249.tif 000009